(57)【要約】本発明は、患者のヘモグロビン量を判定するための装置であって、装置は、密閉ガスボリューム（１００）と、吸口（４７）を含むガス出口であり、吸口（４７）は、密閉ガスボリューム（１００）へのガスの吸入及び密閉ガスボリューム（１００）からのガスの放出を可能にするように構成されるガス出口と、密閉ガスボリューム（１００）に一酸化炭素を供給する手段とを備え、一酸化炭素を供給する手段は、一酸化炭素貯蔵器（１５）を含み、一酸化炭素貯蔵器（１５）は、一酸化炭素貯蔵器（１５）における一酸化炭素の温度を判定するためのセンサ（１９）及び一酸化炭素の圧力を判定するためのセンサ（１７）を備えることを特徴とする装置に関する。【選択図】    図１
2020506785.tif 000002
【特許請求の範囲】
【請求項１】
患者のヘモグロビン量を判定するための装置であって、
密閉ガスボリューム（１００）と、
吸口（４７）を含むガス出口であり、前記吸口（４７）は、前記密閉ガスボリューム（１００）へのガスの吸入及び前記密閉ガスボリューム（１００）からのガスの放出を可能にするように構成されるガス出口と、
前記密閉ガスボリューム（１００）に一酸化炭素を供給する手段とを備え、
前記一酸化炭素を供給する手段は、一酸化炭素貯蔵器（１５）を含み、前記一酸化炭素貯蔵器（１５）は、前記一酸化炭素貯蔵器（１５）における前記一酸化炭素の温度を判定するためのセンサ（１９）及び前記一酸化炭素の圧力を判定するためのセンサ（１７）を備えることを特徴とする装置。
【請求項２】
前記一酸化炭素を供給する手段は、規定量の一酸化炭素を前記密閉ガスボリューム（１００）に供給するように構成されることを特徴とする請求項１に記載の装置。
【請求項３】
二酸化炭素フィルタ（５１）は、前記密閉ガスボリューム（１００）に配置され、前記密閉ガスボリューム（１００）から二酸化炭素を濾過して取り除くように構成されることを特徴とする請求項１又は２に記載の装置。
【請求項４】
前記装置は酸素を供給する手段を備え、該手段は、前記密閉ガスボリューム（１００）に酸素を供給するように構成されることを特徴とする請求項１から３のいずれか１項に記載の装置。
【請求項５】
前記酸素を供給する手段は弾性バルーン（４１）を含み、前記弾性バルーン（４１）は、動作中に６リットル、好ましくは４．５リットル、特に好ましくは３リットルの最大充填容量を有することを特徴とする請求項４に記載の装置。
【請求項６】
前記弾性バルーン（４１）の前記充填容量を判定する手段（５５）を備え、該手段（５５）は光学手段であることが好ましく、該手段（５５）は、前記光学手段と前記弾性バルーン（４１）の膜との距離を検出するように構成されることを特徴とする請求項５に記載の装置。
【請求項７】
前記光学手段は、少なくともレーザ及び検出器を含み、前記レーザ及び前記検出器は、前記装置において固定して配置されることを特徴とする請求項６に記載の装置。
【請求項８】
前記装置は、前記密閉ガスボリューム（１００）の一酸化炭素含有量を検出するように構成される一酸化炭素検出器（５３）を備えることを特徴とする請求項１から７のいずれか１項に記載の装置。
【請求項９】
前記装置は更なるガス出口（４９）を備え、前記一酸化炭素検出器は、前記更なるガス出口（４９）に配置されることを特徴とする請求項８に記載の装置。
【請求項１０】
前記一酸化炭素を供給する手段及び／又は前記酸素を供給する手段、並びに／あるいは前記ガス出口は、弁（５、１３、２３、２５、３５、３７、４３、４５）を介して前記密閉ガスボリュームに接続され、前記弁（５、１３、２３、２５、３５、３７、４３、４５）は、別個に調整可能であることを特徴とする請求項９に記載の装置。
【請求項１１】
前記一酸化炭素貯蔵器（１５）の前記少なくとも１つの圧力センサ（１７）の測定誤差は、１００ｍｂａｒより小さく、好ましくは５０ｍｂａｒより小さく、特に好ましくは２０ｍｂａｒより小さいことを特徴とする請求項１から１０のいずれか１項に記載の装置。
【請求項１２】
前記一酸化炭素貯蔵器（１５）の前記少なくとも１つの温度センサ（１９）の測定誤差は、２℃より小さく、好ましくは１．２℃より小さく、特に好ましくは０．６℃より小さいことを特徴とする請求項１から１１のいずれか１項に記載の装置。
【請求項１３】
前記装置は制御装置を備え、前記制御装置は、１０ｍｌより小さく、好ましくは５ｍｌより小さく、特に好ましくは２．４ｍｌより小さい測定誤差で、前記一酸化炭素貯蔵器（１５）における前記一酸化炭素の量を判定することを特徴とする請求項１から１２のいずれか１項に記載の装置。
【請求項１４】
前記吸口（４７）は交換可能であることを特徴とする請求項１から１３のいずれか１項に記載の装置。
【請求項１５】
前記一酸化炭素を供給する手段及び／又は前記酸素を供給する手段は、一酸化炭素又は酸素を供給あるいは排出するための少なくとも１つの調整可能部品を含むことを特徴とする請求項４から１４のいずれか１項に記載の装置。
【請求項１６】
前記吸口（４７）及び前記二酸化炭素フィルタ（５１）を除く前記装置の全ての部品は、筐体に配置されることを特徴とする請求項１から１５のいずれか１項に記載の装置。
【請求項１７】
前記請求項１から１６のいずれか１項に記載の装置を使用してヘモグロビン量を判定するための方法であって、
ｉ）規定量の一酸化炭素を前記密閉ガスボリューム（１００）に供給する工程と、
ｉｉ）前記患者によるガスを前記密閉ガスボリューム（１００）に吸入及び放出する工程と、
ｉｉｉ）前記患者の前記血液中の前記一酸化炭素の量を判定する工程と、
ｉｖ）前記患者の前記血液中の前記一酸化炭素の量に基づいて前記ヘモグロビン値を判定する工程と、
を備えることを特徴とする方法。
【請求項１８】
前記患者の前記ヘモグロビン量は、２．５％より小さく、好ましくは１．５％より小さく、特に好ましくは１％より小さい誤差で判定されることを特徴とする請求項１７に記載の方法。
【請求項１９】
前記方法は、前記工程ｉ）の前に、
純酸素を前記密閉ガスボリューム（１００）に供給する工程と、
前記患者が前記供給された純酸素を吸入及び放出する工程と、
を備えることを特徴とする請求項１７又は１８に記載の方法。
【請求項２０】
前記工程ｉ）の前の前記酸素を前記吸入及び放出する工程は、第１継続時間にわたり実行され、工程ｉｉ）における前記ガスを前記吸入及び放出する工程は、第２継続時間にわたり実行され、前記第１継続時間は、０．１分から６分、好ましくは１分から４分であり、前記第２継続時間は、１分から２４０分、好ましくは２分から１０分、特に好ましくは６分から１０分であることを特徴とする請求項１９に記載の方法。
【発明の詳細な説明】
【技術分野】
【０００１】
本発明は、患者のヘモグロビン量を判定するための装置に関する。
【背景技術】
【０００２】
ヘモグロビンは、赤血球の鉄を含有するタンパク質複合体であり、酸素を結合させて血流に運ぶことができる。酸素供給の中心的役割によれば、貧血症、多血症及び脱水又は水分過剰等の多くの病気は、血液中のヘモグロビン量の変化と関連付けられる。病気を診断及び治療するために、患者の血液中のヘモグロビン量が判定されうる。判定は、種々の観血法又は非観血法により実行されうる。
【０００３】
国際公開第０３／１００４４０号には、所定量の一酸化炭素を吸入することでヘモグロビン量を判定するための装置及方法が開示されている。国際公開第０３／１００４４０号において、装置は吸口を備え、吸口は、酸素で充填可能な袋を有するコネクタを介して接続される。
【０００４】
米国特許出願公開第２０１５／０１４０６７０号明細書には、生理学的ヘモグロビンレベルを迅速且つ非観血に判定するように構成された方法及び診断キットが開示されている。診断キットは、指示薬で予め充填されたチャンバを備えうる。指示薬溶液は、テトラメチルベンジジン（ＴＭＢ）溶液を含み、溶液は、色を変えるように構成される。更に、被験者のサンプルを受け取るために、受け取り手段が設けられる。
【０００５】
従来技術によれば、患者の血液中のヘモグロビン値は、おおよそ正確に判定されうる。しかし、病気の診断及び病気と関連付けられる症状の治療を向上させるためには、可能な限り正確にヘモグロビン値を判定することが望ましい。
【０００６】
従って、本発明は、患者のヘモグロビン量を判定するために改善された装置及び方法を提供することで、上述の問題を少なくとも部分的に解決することを目的とする。
【発明の概要】
【発明が解決しようとする課題】
【０００７】
上述の課題は、請求項１に記載の装置及び請求項１７に記載の方法により解決される。
【課題を解決するための手段】
【０００８】
本発明は、患者のヘモグロビン量を判定するための装置であって、装置は、密閉ガスボリュームと、吸口を含むガス出口であり、吸口は、密閉ガスボリュームへのガスの吸入及び密閉ガスボリュームからのガスの放出を可能にするように構成されるガス出口と、密閉ガスボリュームに一酸化炭素を供給する手段とを備え、一酸化炭素を供給する手段は、一酸化炭素貯蔵器を含み、一酸化炭素貯蔵器は、一酸化炭素貯蔵器における一酸化炭素の温度を判定するためのセンサ及び一酸化炭素の圧力を判定するためのセンサを備えることを特徴とする装置に関する。ヘモグロビンは、一酸化炭素（ＣＯ）に対する結合親和性が高い。ヘモグロビンの結合親和性は、酸素に対するものと比較して、一酸化炭素に対するものの方が約２００倍から３００倍高い。従って、吸入された一酸化炭素は、患者の血液中のヘモグロビンに結合される酸素を置換する。ヘモグロビンに結合される一酸化炭素を測定することにより、患者の血液中のヘモグロビン含有量又は量を推測できる。このため、供給された一酸化炭素の量を厳密に判定する必要がある。一酸化炭素は、患者の血液中のヘモグロビン量及び一酸化炭素の供給量に依存する。ヘモグロビン量を判定するためには、供給及び投与された一酸化炭素の量がより多ければ、あるいはより少なければ、それに対応して患者の血液中において結合した一酸化炭素の量もより多く又はより少なくなりうるため、吸入のために供給された一酸化炭素の量を知ることが非常に重要である。従って、投与された一酸化炭素の量が不正確に判定されれば、ヘモグロビン量が不正確に判定されることも多くなる。
【０００９】
これまで、投与された一酸化炭素は、手動で注射筒に吸い込まれ、目視検証された。ここでは、そのように吸い込まれた一酸化炭素容量、従って注射筒に含まれる一酸化炭素量を厳密に判定することは、おおよそ可能であるにすぎない。一酸化炭素容量を得る間の誤差を減らすため、使用された注射筒は、環境大気等の残留ガスが注射筒に存在しないように、一酸化炭素ガスを繰り返し取り込むことにより「洗浄」された。しかし、この動作は時間がかかり、有毒な一酸化炭素が環境大気中に放出される。従って、投与された一酸化炭素がガスボリュームを放置したままにはできないため、上記動作は、本発明に係る装置による測定が必須ではないドラフトの下で行われなければならない。また、一般的な方法において、一酸化炭素は、不必要に浪費され、測定のために使用できない。それとは反対に、本発明において、一酸化炭素貯蔵器に含まれ、密閉ガスボリュームに供給される一酸化炭素の量は、厳密に判定される。一般的な手法とは逆に、一酸化炭素量は、圧力及び温度を測定することで、厳密に判定されうる。ここでは、一酸化炭素貯蔵器は、金属、好ましくはアルミニウムで構成され、それにより、貯蔵器が供給する量を厳密に判定できる。しかし、プラスチック、ポリオキシメチレン等の他の適した材料を一酸化炭素貯蔵器に対して採用できる。供給された一酸化炭素の量を厳密に判定することにより、ヘモグロビンの判定精度も向上する。密閉ガスシステムを設けることで、供給された一酸化炭素以外の他のガスが貯蔵器に存在するはずがないため、一酸化炭素貯蔵器を「洗浄する」必要はなくなる。また、貯蔵器における圧力の上昇は、一酸化炭素の供給量と直接関連するため、貯蔵器における一酸化炭素の残留量を厳密に判定できる。一酸化炭素の温度を測定することにより、装置は、本発明によれば、更に確実にガス温度、従ってガスの量に影響を及ぼしうる環境温度とは無関係に、一酸化炭素の投与量を厳密に判定できるようにする。これにより、本発明に係る装置による測定に影響されやすい誤差を減らす。周囲から切り離された密閉ガスボリューム及び一酸化炭素貯蔵器により、患者が有毒な一酸化炭素を吸入する前又は吸入している間に、一酸化炭素が周囲に放出されることを防止する。従って、装置は、特定の更なる予防措置なしで動作するのに適しており、例えば個人開業で又はクリニックの一般的な処置室において採用されうる。そのため、一酸化炭素の投与量を厳密に判定することにより、ヘモグロビンを厳密に判定できるようになる。また、例えば病気の経過中、更には比較的より長期間にわたり患者の血液中のヘモグロビン量を測定できるように、種々の時点においてもヘモグロビンを容易且つ正確に判定できる。更に、部品を殺菌可能及び再利用可能に形成できるため、材料費が節約され、無駄がなくなる。吸口に後続して、抗菌性及び／又は抗ウィルス性のフィルタを配置できる。抗菌性及び／又は抗ウィルス性のフィルタは、患者の呼気が密閉ガスボリュームに入る前に患者の呼気を濾過する。それにより、密閉ガスボリュームがウィルス又は細菌汚染されることを防止する。
【００１０】
ガスボリュームは湿度フィルタを更に備えうる。湿度フィルタは、密閉ガスボリュームの湿度を濾過して取り除くように構成される。放出される湿度が高く温かい空気は、例えばガスボリュームの内壁において液滴を形成しうるため、上述したような湿度フィルタの構成は好都合である。従って、水分又は湿潤環境を好む細菌又はカビによる装置の部品への損傷を防止できる。例えば、密閉ガスボリュームに到達する直前に、含有湿度を呼気から抽出できるように、湿度フィルタは吸口に近接して配置されうる。更に、電動送風機を密閉ガスボリュームに接続できる。従って、空気をガスボリュームに吹き込み、ガス出口を介してガスボリュームの外に導くことにより、測定の前後数分以内にガスボリュームを乾燥させることができる。
【００１１】
好適な実施形態において、一酸化炭素を供給する手段は、規定量の一酸化炭素を密閉ガスボリュームに供給するように構成される。使用者が更に介入することなく一酸化炭素を自動で供給することにより、規定量の一酸化炭素をガスボリュームに供給できる。それにより、測定の精度及び再現性が向上する。一酸化炭素の供給は、一酸化炭素ガスをガスボリュームに供給する時点を自由に選択できるような使用者により手動で誘発されてもよい。それにより、種々の一般条件に対して、例えば種々の患者又は関係する更なる測定パラメータに対して、柔軟な測定につながる。
【００１２】
好適な実施形態において、二酸化炭素フィルタは、密閉ガスボリュームに配置され、密閉ガスボリュームから二酸化炭素を濾過して取り除くように構成される。ガスボリュームが閉じられるため、ガスボリュームは、患者がガスを吸入及び放出する間、二酸化炭素（ＣＯ２）で濃縮される。しかし、高すぎる二酸化炭素濃度は害になりうるため、二酸化炭素フィルタをガスボリュームに配置することで、測定動作中に過剰な二酸化炭素をガスボリュームから濾過して取り除けるのが好ましい。フィルタは、ＣＯ２に対するフィルタの貯蔵容量に到達した場合に容易に交換できるように、交換可能に設けられる。ＣＯ２を濾過して取り除くことにより、ガスボリュームにおいてＣＯ２濃度が不都合に上がることなく、患者がより長期間にわたりガスボリュームに対して吸入又は放出することも可能になる。
【００１３】
好適な実施形態において、装置は酸素を供給する手段を備え、手段は、密閉ガスボリュームに酸素を供給するように構成される。酸素が供給されることにより、酸素含有量がある特定の時間の後、不都合に低くなることなく、患者は、より長期間にわたりガスボリュームのガスを吸入及び放出できる。手段は、より低い酸素濃度で純酸素又は混合ガスをガスボリュームに供給できる。密閉ガスボリュームにおいて酸素濃度を一定に保てることが好ましい。このために、酸素を供給する手段は、ガスボリュームにおける酸素濃度を判定できるセンサを更に備えうる。酸素は、酸素濃度が既定の閾値を下回らないように、一定に又は間欠的に供給されうる。酸素を供給する手段は、酸素ガス容器等の高圧の酸素貯蔵器を装置に接続できるような１つ以上の減圧弁を更に備えうる。酸素を供給する手段は、任意に柔らかく又は硬く形成可能な１つ以上の管を介してガスボリュームに接続されうる。例えば種々の管は、装置が動作する間、例えば酸素を用いて密閉ガスボリュームを「洗浄する」間又は一酸化炭素を投与する間に酸素をガスボリュームに供給するために使用可能である。更に、酸素を供給する手段は、続いて混合ガスをガスボリュームに供給するために、供給された一酸化炭素と酸素を混合するように構成されうる。併給することには、種々のガスを同時にガスボリュームに供給できるという利点がある。それにより、測定中の動作時間を短縮できる。
【００１４】
好適な実施形態において、酸素を供給する手段は弾性バルーンを含み、弾性バルーンは、動作中に６リットル、好ましくは４．５リットル、特に好ましくは３リットルの最大充填容量を有する。弾性バルーンは、種々の充填容量に柔軟に調整可能な高弾性を備えうる。例えば種々の肺容量を有する種々の患者を装置で測定する場合、弾性バルーンは高弾性を備える必要があるだろう。従って、バルーンは、子供用の小さな充填容量及び例えば大人用のより大きな充填容量に適している。更に、バルーンは、種々の容量のバルーンが装置に設けられるように、交換可能に設けられる。バルーンは、患者がガスを容易に吸入及び放出するのを促進するように構成されるのが好ましい。従って、膨らんだバルーンからのガスを患者がガスを放出した後に肺に戻す復元力は、不都合に大きくてはいけない。また、バルーンは、種々のバルーンを希望通りに使用できるように、交換可能に設けられる。バルーンは、患者がガスを吸入する間、可能な限りしぼませられ、一酸化炭素がバルーンに残留するのを回避するのが好ましい。バルーンは、動作中にその膜が地面等の規制面に接触しないように装置に設けられる。これには、バルーンの拡張が規制されないという利点がある。更に、バルーンの拡張及び収縮は、動作中に能動的に制御可能である。従って、患者によるガスの吸入及び放出も能動的に支援可能である。これは、自力で呼吸するのに問題がある患者にとっては特に利点となりうる。更に、例えば特定の期間の間のガスの吸入及び放出であるガスボリュームのガスを厳密に判定できるように、例えば規定の呼吸頻度又は呼吸量を介してバルーンを能動的に制御することにより、規定の呼吸が可能になる。それにより、測定の再現性が向上する。更に、バルーンは、バルーンの容量を対応して増加させる放出されたガス量を判定することにより、患者の肺容量を判定するために使用可能である。
【００１５】
好適な実施形態において、装置は、弾性バルーンの充填容量を判定する手段を備え、手段は光学手段であることが好ましく、手段は、光学手段と弾性バルーンの膜との距離を検出するように構成される。充填容量を判定する手段は、動作中にガス量を検出できるように使用可能である。バルーンは、充填容量によって、定義された方法で拡張しうる。更に、バルーンの膜と充填容量を判定する手段との距離は、光学距離、例えば反射光パルスの通過時間を測定することで得られる。このため、バルーンの膜と充填容量を判定する手段との距離は、特定の距離が規定の充填容量に対応するように規定の充填容量にそれぞれ修正されうる。充填容量を判定する手段に対する制御は、例えば吸入又は放出処理を厳密に制御するために、酸素を供給する手段に対する制御及び／又は一酸化炭素を供給する手段に対する制御にも関連しうる。能動的に駆動されたバルーンに対して、呼吸中の充填容量を制御するために、バルーンの充填容量を判定する手段にも更に接続されうる。
【００１６】
好適な実施形態において、光学手段は、少なくともレーザ及び検出器を含み、レーザ及び検出器は、装置において固定して配置される。バルーンの膜は、レーザが出す光パルスを検出器に戻して反射するのに適している。レーザ及び検出器は、装置に対して固定して配置されるため、バルーンまで規定の距離を有しうる。従って、バルーンは、例えばぶら下がった状態で装置において固定して配置されうる。それにより、バルーンは拡張又は収縮可能になるが、バルーンの装置に対する相対距離は一定に維持される。従って、バルーン、レーザ及び検出器の相対距離は互いに一定であるため、同様に固定して搭載されたレーザ及び検出器を使用する際、バルーンの充填容量を誤って判定することを防止する。
【００１７】
好適な実施形態において、装置は、密閉ガスボリュームの一酸化炭素含有量を検出するように構成される一酸化炭素検出器を備える。一酸化炭素検出器は、例えば一酸化炭素が供給され、患者がガスを吸入及び放出した後にガスボリュームに残留する一酸化炭素含有量を測定できる。従って、供給された一酸化炭素を患者が摂取したことが確実になる。更に、患者が摂取した一酸化炭素の規定量をガスボリュームにおける一酸化炭素の残留量により訂正できる。それにより、ヘモグロビン値の判定誤差が減少する。
【００１８】
好適な実施形態において、装置は更なるガス出口を備え、一酸化炭素検出器は、更なるガス出口に配置される。更なるガス出口により、患者は周囲にガスを吐出できるようになる。例えばこれは、患者が摂取しなかった一酸化炭素の残留量が測定される検出の終了時に利点となりうる。ここでは、全ての残留ガスをガスボリュームから周囲に排出できるように、弾性バルーンを完全にしぼますことができる。従って、更なるガス出口において、ガスボリュームが含有する一酸化炭素を厳密に検出できる。
【００１９】
好適な実施形態において、一酸化炭素を供給する手段及び／又は酸素を供給する手段、並びに／あるいはガス出口は、弁を介して密閉ガスボリュームに接続され、弁は、別個に調整可能である。弁を別個に制御することにより、ガスのガスボリュームへの供給又はガスボリュームからの排出をそれぞれ制御できるようになる。従って、動作の種類によって、例えば酸素又は一酸化炭素を供給する間、あるいはガス量を低下させる間、種々の弁は、装置の動作中、異なる長さ又は異なる時間で開閉されうる。これにより、例えば種々の測定パラメータを用いて測定するために、動作中の柔軟な調整が可能になる。
【００２０】
好適な実施形態において、一酸化炭素貯蔵器の少なくとも１つの圧力センサの測定誤差は、１００ｍｂａｒより小さく、好ましくは５０ｍｂａｒより小さく、特に好ましくは２０ｍｂａｒより小さい。好適な実施形態において、一酸化炭素貯蔵器の少なくとも１つの温度センサの測定誤差は、２℃より小さく、好ましくは１．２℃より小さく、特に好ましくは０．６℃より小さい。ここでは、圧力及び温度は電子的に測定されうる。一酸化炭素量は、使用者から独立して判定することができ、それにより、患者のヘモグロビン量の判定誤差は更に減少する。
【００２１】
好適な実施形態において、装置は制御装置を備え、制御装置は、１０ｍｌより小さく、好ましくは５ｍｌより小さく、特に好ましくは２．４ｍｌより小さい測定誤差で、一酸化炭素貯蔵器における一酸化炭素の量を判定する。一酸化炭素の量、並びに／あるいは温度及び／又は圧力判定は、装置の外から読めるように配置されうる対応するディスプレイを介して実施されうる。装置は、例えば判定値をコンピュータに送信するためのインタフェースを更に備えうる。
【００２２】
好適な実施形態において、吸口は交換可能である。従って、装置は、種々の患者に対して迅速且つ衛生的に構成されうる。例えば、抗菌性及び／又は抗ウィルス性のフィルタ等を備えうる滅菌使い捨て吸口が使用可能である。
【００２３】
好適な実施形態において、一酸化炭素を供給する手段及び／又は酸素を供給する手段は、一酸化炭素又は酸素を供給あるいは排出するための少なくとも１つの調整可能部品を含む。一酸化炭素又は酸素は、ガス容器等のより高い容量又は圧力を有するガス貯蔵媒体を介して供給されうる。従って、装置は、接続されたガス貯蔵媒体を交換する必要なく、長時間動作可能である。ガス貯蔵媒体の制御可能ポートは、一酸化炭素供給手段及び／又は酸素供給手段を安全に充填できる減圧弁を備えうる。更に、制御可能ポートは、望ましくないガス漏れを防止できることで、動作又は貯蔵中の安全性を高めるガス貯蔵手段を閉じるよう働きうる。
【００２４】
好適な実施形態において、吸口及び二酸化炭素フィルタを除く装置の全ての部品は、筐体に配置される。筐体における好都合な配置により、埃及び破片等の望ましくない外部の衝撃から装置の各部品を保護できる。筐体は、収容した部品を例えば打撃又は衝撃による損傷から保護するために、アルミニウム等の硬いと同時に軽量である材料から形成されうる。更に、筐体は、装置が無菌操作に適するように形成されうる。従って、必要に応じて筐体の外面を密封又はコーティングできるとよい。更に、装置は、望ましくない一酸化炭素の漏れを防止できるセキュリティ対策を備えうる。従って、筐体に配置される一酸化炭素の測定装置の測定閾値を超える場合、漏れを示しうる、充填中の一酸化炭素貯蔵器の圧力の上昇が遅すぎる場合又は一酸化炭素貯蔵器の圧力が閾値を超える場合に弁が閉じるように、弁を制御できる。
【００２５】
本発明は、更に、前述の実施形態のうちの１つに係る装置を使用してヘモグロビン量を判定するための方法に関する。方法は、ｉ）規定量の一酸化炭素を密閉ガスボリュームに供給する工程と、ｉｉ）患者によるガスを密閉ガスボリュームに吸入及び放出する工程と、ｉｉｉ）患者の血液中の一酸化炭素の量を判定する工程と、ｉｖ）患者の血液中の一酸化炭素の量に基づいてヘモグロビン値を判定する工程と、を備える。ここでは、ヘモグロビン値は、一酸化炭素を投与する前の少なくとも１つの血液サンプル及び一酸化炭素を投与した後の少なくとも１つの血液サンプルを採取することで判定されうる。採血の厳密な時点は変動しうる。ヘモグロビン値は、それぞれの血液サンプルの一酸化炭素含有量の違いから判定されうる。更に、血液中の一酸化炭素含有量は、例えば光学手段を介して非観血に判定することもできる。
【００２６】
好適な実施形態において、患者の前記ヘモグロビン量は、２．５％より小さく、好ましくは１．５％より小さく、特に好ましくは１％より小さい誤差で判定される。そのような精度は、病気を診断する上で利点となりうる。更に、そのような精度は、例えば患者のヘモグロビン値に依存するために、患者のニーズに合わせて調整可能な治療を設計するために利点となりうる。従って、そのような精度により、例えば数年間にわたり患者を観察して、病気の経過をより正確に記述し、とりわけ治療が順調であるか否かを判定し、必要に応じて治療を調整するための長期間の測定も可能になる。
【００２７】
好適な実施形態において、方法は、工程ｉ）の前に、純酸素を密閉ガスボリュームに供給する工程と、患者が供給された純酸素を吸入及び放出する工程と、を備える。純酸素を用いたこのいわゆる「洗浄」には、一酸化炭素を投与する前に肺に投与された純酸素とヘモグロビンが結合するという利点がある。従って、患者の体内に可能な限り多くの酸素が存在することで、後続して一酸化炭素が投与される間に患者がガスを吸入及び放出するのを促進できる。また、一酸化炭素の投与により誘発されうる低酸素症の程度が低減する。従って、より広範囲の患者に一酸化炭素を投与できる。
【００２８】
好適な実施形態において、工程ｉ）の前の酸素を吸入及び放出する工程は、第１継続時間にわたり実行され、工程ｉｉ）におけるガスを吸入及び放出する工程は、第２継続時間にわたり実行され、第１継続時間は、０．１分から６分、好ましくは１分から４分であり、第２継続時間は、１分から２４０分、好ましくは２分から１０分、特に好ましくは６分から１０分である。測定時間は、所望の測定方によって、あるいは患者によって適切に調整可能である。第１時間は、上述のヘモグロビンが適切に定義された方法で存在するように、状況に応じて適切に患者又は患者の血液中のヘモグロビンを準備するのに十分であり、更に第２時間は、ほぼ全ての投与された一酸化炭素がガスの吸入及び放出を通して患者に摂取されているように十分でありうることが好ましい。
【図面の簡単な説明】
【００２９】
本発明をより理解し、実用的な利用可能性を明確にするために、以下に参照用の図面を提供する。図面は、実施形態の一例を示すにすぎず、いかなる方法によっても本発明の範囲を定めるものではないことが理解されるべきである。
【００３０】
【図１】ヘモグロビン量を判定するための装置を概略的に示す配置図である。
【発明を実施するための形態】
【００３１】
以下において、本発明の実施形態の一例を示す添付図面を参照して、本発明をより詳細に説明する。しかし、以下に説明する実施形態が本発明の範囲を限定するためのものではない。異なる方法で本発明を規定することも可能である。説明する実施形態は、むしろ当業者に本発明の範囲を示すべきである。
【００３２】
図１は、患者のヘモグロビン量を判定するための装置を概略的に示す配置図である。図１において、ＣＯ供給源１は、第１減圧弁３を介してＣＯ安全弁５に接続される。ＣＯ供給源１は、例えばＣＯガス容器であってよい。ＣＯガス容器において、大量のＣＯガスが高圧で圧縮される。ＣＯ供給源１とＣＯ安全弁５とは、例えば気密弾性管を採用して接続されうる。気密弾性管により、ＣＯ供給源１を装置の他の部品から遠く離して配置することもできる。従って、ＣＯ供給源１が適切な貯蔵室等に貯蔵されうる一方で、装置の他の部品は共通の処理室に配置されうる。ＣＯ安全弁５は、次に第２ＣＯ減圧弁７に接続される。更に、第２ＣＯ減圧弁７は、第１スロットル９及び弁１３を介してＣＯ貯蔵器１５に接続される。圧力は、第１スロットル９と弁１３との間の圧力センサ１１により検出される。上流弁及びスロットルにより、ＣＯガスが超過圧力で後続システムに供給されることを防止できる。従って、システムの後続部において、過剰圧力による損傷を防止できる。また、望ましくない有毒ＣＯガスの漏れを防止できる。
【００３３】
圧力センサ１１は、確実にＣＯ貯蔵器１５を適切な圧力で充填できるようにする。ＣＯ貯蔵器１５におけるＣＯの温度及び圧力は、それぞれセンサ１７、１９により検出される。ＣＯ貯蔵器１５の容量が分かっている場合、供給されたＣＯの厳密な量は、それに基づいて判定されうる。ＣＯ貯蔵器１５は、次に第２スロットル２１に接続される。ＣＯ貯蔵器１５は、ＣＯを弁２５を介して出口２７に導くことにより、ＣＯで洗浄されうる。従って、ＣＯ貯蔵器１５は、各動作の前に規定の初期状態にされうる。第２スロットル２１は、弁２３を介して密閉ガスボリューム１００に更に接続される。従って、規定量のＣＯをＣＯ貯蔵器１５から密閉ガスボリューム１００に導くことができる。更に、Ｏ２供給源２９は、第１Ｏ２減圧弁３１を介して第２Ｏ２減圧弁３３に接続される。Ｏ２供給源２９は、例えばＯ２ガス容器であってよい。Ｏ２ガス容器において、大量のＣＯガスが高圧で圧縮される。ＣＯ供給源１と同様に、Ｏ２供給源２９も、Ｏ２供給源２９を柔軟に配置する気密管を介して接続されうる。減圧弁３１、３３は、Ｏ２ガスが超過圧力で密閉ガスボリュームに供給されることを防止する。患者が第１期間において純Ｏ２ガスを吐き出す（Ｏ２で「洗浄する」とも示される）間、第２減圧弁３３と接続された弁３５は開口し、Ｏ２は密閉ガスボリューム１００に供給される。その後、ＣＯは密閉ガスボリュームに供給され、弁３５は、流入Ｏ２による密閉ガスボリュームへの供給接続に潜在的に残留していたＣＯを洗浄するために短時間、開口されうる。患者が特定の第２期間中にＣＯ濃縮ガスを吐き出す間、弁３５は閉じ、密閉ガスボリューム１００のガスにおいて所望の酸素濃度を得るまで、Ｏ２は、弁３７を介して密閉ガスボリューム１００に供給される。密閉ガスボリューム１００のガスの温度は、温度センサ３９により検出される。患者は、密閉ガスボリューム１００において、吸口４７を用いて密閉ガスボリューム１００のガスを矢印の方向に吸入及び放出する。放出されたガスは、密閉ガスボリュームに配置されるＣＯ２フィルタ５１を介して濾過される。従って、ＣＯ２ガスが密閉ガスボリューム１００に累積することを防止する。ガスを吸入及び放出する間、ＣＯが供給された後に第１弁４３が開口する。それにより、接続された弾性バルーン４１にガスを吸入及び放出できるようになる。一方、密閉ガスボリューム１００を出口４９に接続する密閉ガスボリューム１００の第２弁４５は、閉じられる。弾性バルーン４１は、患者がガスを放出する間は拡張し、患者がガスを吸入する間は収縮する。光学距離検出器５５により判定される弾性バルーン４１の膜までの距離５７により、弾性バルーン４１に残留するガス量を判定できる。吸入されるガス量と放出されるガス量との差により、患者の肺容量も判定できる。更に、弾性バルーン４１の一時的な容量変化により、患者の呼吸頻度を判定できる。患者が特定の時間密閉ガスボリューム１００のＣＯ濃縮ガスを吸入及び放出した後、密閉ガスボリューム１００の第１弁４３は閉じ、第２弁４５は開口する。従って、密閉ガスボリューム１００からのガスは、出口４９を介して患者から放出される。
【００３４】
第２弁４５の上流に、放出されたガスのＣＯ量を検出できるＣＯ検出器５３が配置される。放出されたガスのＣＯを検出することにより、患者が摂取しなかったＣＯ量を判定できる。この値は、患者に投与されたＣＯ量の値を訂正するために使用できる。装置の部品は筐体５９に配置されうる。ＣＯ供給源及びＯ２供給源、並びに第１減圧弁３、３１は、筐体５９の外部に格納され、対応するポートを介して筐体５９の内部の部品と接続されうる。これにより、ＣＯ供給源及びＯ２供給源を別個に格納できるため、ＣＯ供給源及びＯ２供給源を容易に交換できるようになる。不要な放出されたガスは、対応する出口２７、４９を介して筐体５９の外に導かれうる。更に、バルーン４１は、筐体５９において固定して配置される光学距離検出器５５までの距離を検出できるように、筐体５９に配置される。それにより、弾性バルーン４１の充填容量を判定できる。ヘモグロビン量を判定するために、ＣＯを投与する前に患者から採血し、ヘモグロビンと結合したＣＯの濃度を判定する。患者がＣＯを投与され、ある特定の時間ＣＯ濃縮ガスを吐き出した後、再度患者から採血し、ヘモグロビンと結合したＣＯの濃度を判定する。ヘモグロビンと結合するＣＯの濃度は、例えば光学的方法により非観血に判定することもできる。ヘモグロビンと結合するＣＯの観血及び非観血の双方で検出することより、患者の血液中のヘモグロビン量を続いて判定できる。
【符号の説明】
【００３５】
１          ＣＯ供給源
３          第１ＣＯ減圧弁
５          ＣＯ安全弁
７          第２ＣＯ減圧弁
９          第１スロットル
１１        貯蔵器の前の圧力センサ
１３        貯蔵器の前の弁
１５        ＣＯ貯蔵器
１７        ＣＯ貯蔵器の圧力センサ
１９        ＣＯ貯蔵器の温度センサ
２１        第２スロットル
２３        ＣＯ投与用の弁
２５        ＣＯ洗浄用の弁
２７        ＣＯで貯蔵器を洗浄するための出口
２９        Ｏ２供給源
３１        第１Ｏ２減圧弁
３３        第２Ｏ２減圧弁
３５        Ｏ２洗浄用の弁
３７        Ｏ２投与用の弁
３９        ガスボリュームの温度センサ
４１        弾性バルーン
４３        ガスボリュームの第１弁
４５        ガスボリュームの第２弁
４７        吸口
４９        ガスボリュームの出口
５１        ＣＯ２フィルタ
５３        ＣＯ検出器
５５        光学距離検出器
５７        バルーンまでの距離
５９        筐体
１００      密閉ガスボリューム
【図１】
2020506785.tif 000003
【国際調査報告】
2020506785.tif 000004
2020506785.tif 000005
2020506785.tif 000006
2020506785.tif 000007